(57)【要約】【課題】頭髪を盛り上げる高さを調整することができる調髪具を提供する。【解決手段】調髪具は、第１の折り曲げ部材１、第２の折り曲げ部材２及び嵩上げ折り曲げ部材３を備える。第１の折り曲げ部材１と第２の折り曲げ部材２とが結合される結合箇所は、互いに対応するように設けられた第１の調整セクション１１及び第２の調整セクション２１を有する。嵩上げ折り曲げ部材３は、第２の折り曲げ部材２上に取り付けられている。【選択図】図１
0003157885.tif 000002
【実用新案登録請求の範囲】
【請求項１】
第１の折り曲げ部材、第２の折り曲げ部材及び嵩上げ折り曲げ部材を備え、
前記第１の折り曲げ部材と前記第２の折り曲げ部材とが結合される結合箇所は、互いに対応するように設けられた第１の調整セクション及び第２の調整セクションを有し、
前記嵩上げ折り曲げ部材は、前記第２の折り曲げ部材上に取り付けられていることを特徴とする調髪具。
【請求項２】
前記第１の調整セクションは、対向する２つの端面上にギザギザがそれぞれ設けられた単面歯状柱体を有し、
前記第２の調整セクションは、両面にギザギザが設けられた両面歯状柱体を有し、
前記２つの単面歯状柱体間に前記両面歯状柱体を嵌入し、前記単面歯状柱体のギザギザと前記両面歯状柱体のギザギザとを対応するように噛み合わせることを特徴とする請求項１に記載の調髪具。
【請求項３】
前記第２の折り曲げ部材は、上面に多数の係止孔を有し、
前記嵩上げ折り曲げ部材は、前記係止孔に対応するピンを有し、
前記係止孔の中に前記ピンを嵌合し、前記第２の折り曲げ部材上に前記嵩上げ折り曲げ部材を固定することを特徴とする請求項２に記載の調髪具。
【考案の詳細な説明】
【技術分野】
【０００１】
本考案は調髪具に関し、特に、頭髪を盛り上げるために頭髪に固定し、盛り上げる高さを調整することができる調髪具に関する。
【背景技術】
【０００２】
髪が長いユーザは、髪形の見た目を良くするために、逆毛を立てる方式を利用して見た目の悪い扁平な髪形を改善していたが、この方式では、髪が絡まって梳かすのが困難となり、頭髪が傷み易い上、頭髪を長時間盛り上げた状態にしておくことが困難であった。
【０００３】
従来の調髪具には、外側の髪の毛を盛り上げて見た目を向上させるものがあった（例えば、特許文献１）。特許文献１が開示する調髪具は、上下がそれぞれ円弧状に曲げられた上側部材及び下側部材を、三日月状に一体成形してなるものであり、上側部材にはその上面の両側縁に沿って、等間隔に立ち並ぶ止め歯の歯列があり、下側部材の前後両側には縁辺から等間隔で前後方向に突出する櫛歯列が設けられている。
【０００４】
しかし、当該特許文献１の調髪具は、一体成形されている上、上下の円弧状の曲線間により高さが固定されていたため、ユーザが調髪具を実際に使用する際、様々な要求に応じて円弧状曲線間の高さを調整することができなかった。
【先行技術文献】
【特許文献】
【０００５】
【特許文献１】台湾実用新案登録第３５７８９４号公報
【考案の概要】
【考案が解決しようとする課題】
【０００６】
本考案の目的は、頭髪を盛り上げる高さを調整することができる調髪具を提供することにある。
【課題を解決するための手段】
【０００７】
上記課題を解決するために、本考案の第１の形態によれば、第１の折り曲げ部材、第２の折り曲げ部材及び嵩上げ折り曲げ部材を備え、前記第１の折り曲げ部材と前記第２の折り曲げ部材とが結合される結合箇所は、互いに対応するように設けられた第１の調整セクション及び第２の調整セクションを有し、前記嵩上げ折り曲げ部材は、前記第２の折り曲げ部材上に取り付けられていることを特徴とする調髪具が提供される。
【０００８】
前記第１の調整セクションは、対向する２つの端面上にギザギザがそれぞれ設けられた単面歯状柱体を有し、前記第２の調整セクションは、両面にギザギザが設けられた両面歯状柱体を有し、前記２つの単面歯状柱体間に前記両面歯状柱体を嵌入し、前記単面歯状柱体のギザギザと前記両面歯状柱体のギザギザとを対応するように噛み合わせることが好ましい。
【０００９】
前記第２の折り曲げ部材は、上面に多数の係止孔を有し、前記嵩上げ折り曲げ部材は、前記係止孔に対応するピンを有し、前記係止孔の中に前記ピンを嵌合し、前記第２の折り曲げ部材上に前記嵩上げ折り曲げ部材を固定することが好ましい。
【考案の効果】
【００１０】
本考案の調髪具は、頭髪を盛り上げる高さを調整することができる。
【図面の簡単な説明】
【００１１】
【図１】本考案の一実施形態による調髪具を示す分解斜視図である。
【図２】本考案の一実施形態による調髪具を示す斜視図である。
【図３】本考案の一実施形態による調髪具を示す断面図である。
【図４】本考案の一実施形態による高さを調整した後の調髪具を示す側面図である。
【図５】本考案の一実施形態による調髪具を示す斜視図である。
【考案を実施するための形態】
【００１２】
図１を参照する。図１に示すように、本考案の一実施形態による調髪具は、第１の折り曲げ部材１、第２の折り曲げ部材２及び嵩上げ折り曲げ部材３を含む。第２の折り曲げ部材２は、第１の折り曲げ部材１の上方に組み立てられる。第１の折り曲げ部材１と第２の折り曲げ部材２とが結合される箇所（即ち、結合箇所）には、それぞれ互いに対応する第１の調整セクション１１及び第２の調整セクション２１が設けられている。第１の調整セクション１１及び第２の調整セクション２１は、第１の折り曲げ部材１及び第２の折り曲げ部材２の両端にそれぞれ設けられている。第２の折り曲げ部材２は、調髪具全体を盛り上げるために、嵩上げ折り曲げ部材３がその上に取り付けられている。
【００１３】
図２〜４を参照する。図２〜４に示すように、第１の折り曲げ部材１、第２の折り曲げ部材２及び嵩上げ折り曲げ部材３を組み立てる際、調髪具の所望の高さに応じ、第１の折り曲げ部材１の両端に設けられた第１の調整セクション１１に、第２の折り曲げ部材２の両端に設けられた第２の調整セクション２１をそれぞれ嵌合すると、第２の調整セクション２１を調整し、第１の調整セクション１１の箇所に対応するように係合させることができる。これにより、第１の折り曲げ部材１と第２の折り曲げ部材２との間隔を所望の距離（即ち、高さ）になるように調整し、第１の折り曲げ部材１上に第２の折り曲げ部材２を固定した後、第２の折り曲げ部材２上に嵩上げ折り曲げ部材３を固着する。
【００１４】
本実施形態の調髪具は、第１の折り曲げ部材１及び第２の折り曲げ部材２上に設けられ、互いに係合させることが可能な第１の調整セクション１１及び第２の調整セクション２１を利用し、第１の折り曲げ部材１と第２の折り曲げ部材２との間隔を所望の距離（即ち、高さ）になるように調整することができる（図３及び図４に示す）。さらに、嵩上げ折り曲げ部材３が設置された調髪具をユーザの頭部上に設置してから、調髪具の前方にある頭髪で調髪具を覆って頭髪を盛り上げて見た目を向上させることができるため、ユーザの様々なニーズを満たすことができる（図５に示す）。
【００１５】
図１及び図３に示すように、第１の調整セクション１１は、互いに対向するように２つの端面上にギザギザが設けられた単面歯状柱体１１１を含む。第２の調整セクション２１は、両面にギザギザが設けられた両面歯状柱体２１１を有する。第１の調整セクション１１に第２の調整セクション２１を嵌入し、両面歯状柱体２１１の両面に設けられたギザギザと、２つの単面歯状柱体１１１上に設けられたギザギザとを互いに噛み合わせると、第１の折り曲げ部材１に対して第２の折り曲げ部材２を位置決めすることができる。
【００１６】
また、第１の折り曲げ部材１の後縁の箇所に、間隔をおいて延設された直線櫛歯１２１及び曲線櫛歯１２２を含む櫛歯部１２を利用し、頭上に調髪具を安定的に設置することができる。
【００１７】
また、第２の折り曲げ部材２上には、多数の係止孔２２を設けてもよい。嵩上げ折り曲げ部材３は、係止孔２２に対応するピン３１を有する。係止孔２２の中にピン３１を嵌合すると、第２の折り曲げ部材２上に嵩上げ折り曲げ部材３が固定される。嵩上げ折り曲げ部材３は、必要に応じて第２の折り曲げ部材２上に固定したり、第２の折り曲げ部材２から取り外したりしてもよい。
【００１８】
本実施形態の第１の折り曲げ部材１、第２の折り曲げ部材２及び嵩上げ折り曲げ部材３は、頭髪から滑り落ちないように、多数の凸部１３，２３，３２が表面に設けられている。
【００１９】
上述の実施形態から分かるように、本考案の調髪具は、第１の折り曲げ部材、第２の折り曲げ部材及び嵩上げ折り曲げ部材を備える。第１の折り曲げ部材と第２の折り曲げ部材とが結合される箇所は、互いに対応するように設けられた第１の調整セクション及び第２の調整セクションを有する。第１の折り曲げ部材及び第２の折り曲げ部材にそれぞれ設けられた第１の調整セクションと第２の調整セクションとを対応するように係合し、第１の折り曲げ部材と第２の折り曲げ部材との間隔を調整すると、調髪具全体の高さを変えることができる。また、第２の折り曲げ部材に嵩上げ折り曲げ部材を取り付けると、調髪具全体をさらに高くなるように盛り上げることができる。そのため、本考案の調髪具は、頭髪を所望の高さに盛り上げて支え、長時間保持することができる。
【００２０】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２１】
１・・・・・・第１の折り曲げ部材
２・・・・・・第２の折り曲げ部材
３・・・・・・嵩上げ折り曲げ部材
１１・・・・・第１の調整セクション
１２・・・・・櫛歯部
１３・・・・・凸部
２１・・・・・第２の調整セクション
２２・・・・・係止孔
２３・・・・・凸部
３１・・・・・ピン
３２・・・・・凸部
１１１・・・・単面歯状柱体
１２１・・・・直線櫛歯
１２２・・・・曲線櫛歯
２１１・・・・両面歯状柱体
【図１】
0003157885.tif 000003
【図２】
0003157885.tif 000004
【図３】
0003157885.tif 000005
【図４】
0003157885.tif 000006
【図５】
0003157885.tif 000007